(57)【特許請求の範囲】
【請求項１】
迅速に受信者を追加する方法であって、
メール情報を受信するステップであって、前記メール情報は、送信者情報と、受信者情報と、メール内容とを含み、かつ前記受信者情報は、少なくとも二人の受信者の情報を含む、受信するステップと、
前記受信者情報に従って、受信者グループを生成するステップと、
ユーザがメールを送信するために連絡先を追加する必要がある場合、もし追加される連絡先が前記受信者グループ内にある時、前記受信者グループ内の他の受信者情報を表示するステップ、並びに、他の受信者を追加するかどうかをユーザに促すステップと、
を含むことを特徴とする受信者の追加方法。
【請求項２】
前記受信者グループ内の他の受信者情報を表示するステップは、所定の配列規則に従って、前記受信者グループ内の他の受信者情報を連続的に配列するステップ及び表示するステップをさらに含むことを特徴とする請求項１に記載の受信者の追加方法。
【請求項３】
所定の配列規則に従って、他の受信者情報を連続的に配列するステップは、前記受信者情報の頭文字に従って他の受信者情報を配列するステップ、又は、前記受信者情報の漢字の線に従って他の受信者情報を配列するステップをさらに含むことを特徴とする請求項２に記載の受信者の追加方法。
【請求項４】
他の受信者を追加する必要があるかどうかをユーザに促すステップは、具体的には、音声を介して該ユーザに促すステップ、又は、追加される情報を画面に表示することによってユーザに促すステップをさらに含むことを特徴とする請求項１または３に記載の受信者の追加方法。
【請求項５】
迅速に受信者を追加する装置であって、該装置は受信ユニットと、グループユニットと、処理ユニットと、促進ユニットと、を含み、
前記受信ユニットは、メール情報を受信するように構成され、前記メール情報は、送信者情報と、受信者情報と、メール内容とを含み、かつ前記受信者情報は、少なくとも二人の受信者の情報を含み、
前記グループユニットは、受信者情報に従って一つの受信者グループを生成するように構成され、
前記処理ユニットは、ユーザがメール送信のために受信者を追加する必要がある場合、もし前記追加される連絡先が前記受信者グループ内にある時、前記受信者グループ内の他の受信者情報を表示するように前記促進ユニットに指示するとともに、他の受信者を追加するかどうかを前記ユーザに促すように構成され、
前記促進ユニットは、処理ユニットの指示に従って、前記受信者グループ内の他の受信者情報を表示するとともに、他の受信者情報を追加するかどうかを前記ユーザに促すように構成されること、
を特徴とする受信者を追加する装置。
【請求項６】
所定の配列規則に従って、前記受信者グループ内の他の受信者情報を連続的に配列し、かつ、促進のために促進ユニットに情報を送信するように構成されたシーケンスユニットをさらに含むことを特徴とする請求項５に記載の受信者を追加する装置。
【請求項７】
携帯端末であって、通信モジュールと、キーボードと、電力供給管理モジュールとを含み、前記携帯端末はさらに請求項５又は６に記載の受信者を追加する装置をさらに含むことを特徴とする携帯端末。
【発明の詳細な説明】
【技術分野】
【０００１】
本発明は、データ処理技術の分野に関するものであり、特に、迅速に受信者を追加する方法及び装置、並びにそれを用いた携帯端末に関する。
【０００２】
本願は、２０１０年１１月４日に発明の名称を“迅速に受信者を追加する方法及び装置、並びにそれを用いた携帯端末”とする中国特許出願第２０１０１０５３０７０３．７号に基づく優先権を主張するとともに、参照により、その全体がここに組み込まれる。
【背景技術】
【０００３】
現在、携帯端末（例えば、携帯電話）は、同時にマルチメディアメッセージを複数の連絡先に送信する、又は、同時にメールを複数の連絡先に送信するような通信開始時において、多くの場合一つずつ連絡先を選択する必要があり、そのためにユーザに選択させて能動的に関連連絡先情報を追加するというインテリジェント・コンタクト・グループ（Ｉｎｔｅｌｌｉｇｅｎｔ  ｃｏｎｔａｃｔ  ｇｒｏｕｐ）構造は形成されていない。さらに、現在の携帯端末はインテリジェント・コンタクト・グループ機能を設けておらず、受信したメール、又はマルチメディアメッセージから受信者の相互関係を自動的に抽出することはできない。従来技術では、複数の連絡先にグループ化機能を設定することによって、ユーザは能動的にグループを生成するとともに、比較的安定したグループを形成するために、関連する連絡先を追加しており、結果として、後でグループにメールを送信する機能を実行することができる。
【０００４】
発明の態様の実行過程において、発明者は、上記の技術がユーザにグループへ向けたメールを送信させることのみはできるが、ユーザに前記グループ中の１人又は２人以上の連絡先を選択させることはできないという課題を見出した。前記の解決策は、十分にはフレキシブルでもインテリジェントでもなく、さらにインテリジェントなグループ連絡先推薦機能も提供されておらず、そのために、メールや情報を送信するとき、ユーザは迅速に連絡先を追加することはできず、ユーザにとって不便である。
【発明の概要】
【課題を解決するための手段】
【０００５】
このような理由から、本発明の一態様は迅速に受信者を追加する方法を提供しており、その方法は、少なくとも二人の受信者情報を含むメール情報を受信するステップと、前記受信者情報に従って、受信者グループを生成するステップと、ユーザがメールを送信するために受信者を追加する必要がある場合、もし追加される連絡先が前記受信者グループ内にある時、前記受信者グループ内の他の受信者情報を表示するステップ、並びに、前記他の受信者を追加するか否かをユーザに促すステップと、を含む。
【０００６】
本発明の一態様はさらに、迅速に受信者を追加する装置を提供するもので、前記装置は、受信ユニットと、グループユニットと、処理ユニットと、促進ユニットと、を含み、前記受信ユニットは、少なくとも二人の受信者情報を含むメール情報において、前記メール情報を受信するように構成され、前記グループユニットは受信者情報に従って受信者グループを生成するように構成され、前記処理ユニットは、ユーザがメールを送信するために受信者を追加する必要がある場合、もし追加される連絡先が受信者グループ内にある時、該受信者グループ内の他の受信者情報を表示するように前記促進ユニットに指示するとともに、前記他の受信者を追加するか否かをユーザに促すように構成され、前記促進ユニットは、前記処理ユニットの指示に従って、前記受信者グループ内の他の受信者情報を表示するとともに、他の受信者を追加するか否かをユーザに促すように構成される。
【０００７】
さらに、前記装置は所定の配列規則に従って構成されたシーケンスユニットを含み、前記シーケンスユニットは、前記受信者グループ内の他の受信者情報を連続的に配列して、促進のために促進ユニットに情報を送る。
【０００８】
本発明の一態様はさらに、携帯端末を提供するもので、前記携帯端末は、通信モジュールと、キーボード及び電力供給管理モジュールと、を含み、前記携帯端末はさらに上記装置を含む。
【０００９】
本発明の前記実施形態における技術的解決策は、受信グループをインテリジェントに生成し、ユーザがメールを送信するために受信者を追加する必要がある場合、もし追加される連絡先が受信者グループ内にある時、前記受信者グループ内の他の受信者情報を表示するように前記促進ユニットに指示するとともに、他の受信者を追加するか否かをユーザに促して、受信者追加の実行を十分にフレキシブルかつインテリジェントなものにし、かつ、インテリジェントなグループ連絡先推薦機能を提供し、その結果、ユーザはメールや情報を送信する時に迅速に連絡先を追加することができる。
【００１０】
本発明の実施形態における技術的解決策をより明瞭に説明するために、本発明の実施形態の説明に必要な添付図面を用いて簡潔に説明する。一見すると、以下の説明に用いる添付図面は、本発明のいくつかの実施形態のみを示しているが、当業者は創造的努力なしで、これらの添付図面から他の図を導き出すことができる。
【図面の簡単な説明】
【００１１】
【図１】本発明の実施形態１における方法のフローチャートである。
【図２】本発明の実施形態２における装置の概念図である。
【図３】本発明の実施形態２における他の装置の概念図である。
【図４】本発明の実施形態２における携帯端末の概念図である。
【発明を実施するための形態】
【００１２】
以下に、明瞭かつ十分に本発明の実施形態における技術的解決策を添付図面を参照して説明する。一見すると、記載された実施形態は本発明の実施形態のすべてではなく、実施形態の単なる一部にすぎない。当業者によって創造的な努力なしで得られる他の全ての実施形態は、本発明の保護範囲である。
【００１３】
本発明の実施形態１は、迅速に受信者を追加する方法を提供する。図１を参照すると、前記方法は、具体的には以下のステップを含む。
【００１４】
ステップ１０１は、少なくとも二人の受信者情報を含むメール情報を受信する。前記メール情報は、具体的には、電子メール情報、又はネットワーク側のショートメッセージサービスセンター（Ｓｈｏｒｔ  Ｍｅｓｓａｇｅ  Ｓｅｒｖｉｃｅ  Ｃｅｎｔｅｒ，ＳＭＳＣ）を介して得られたショートメッセージであってよい。前記メール情報は、送信者情報と、受信者情報と、メール内容のような情報を含む。本発明の前記実施形態において、受信者情報は、少なくとも二人の受信者を含む。
【００１５】
ステップ１０２は、前記受信者情報に従って、受信者グループを生成する。上記少なくとも二人の受信者を含む受信者情報は、該受信者情報に従って生成された一つのグループであってもよい。受信者グループは、一時的グループであってもよいし、又は、永続的グループであってもよい。前記一時的グループは、一時的に生成される受信者グループであり、携帯端末のキャッシュに一時的にしか記憶されないので、一度、携帯端末がリセット（例えば、再起動）されると、一時的グループは携帯端末のシステムから消去される。前記永続的グループは、携帯端末の記憶領域に記憶される受信者グループである。
【００１６】
ステップ１０３では、ユーザがメール送信のために受信者を追加する必要がある場合、もし追加される連絡先が受信者グループ内にある時、該受信者グループ内の他の受信者情報を表示するとともに、他の受信者を追加するかどうかをユーザに促す。
【００１７】
例えば、ステップ１０２において、受信者グループＡが生成される。前記受信者グループＡは、三人の受信者（受信者ａ、受信者ｂ、受信者ｃ）の情報によって構成される。前記ユーザがメールを書くとき、ユーザは受信者を追加する必要がある場合、例えば、連絡先ａとして受信者情報を追加する時、システムは受信者グループＡ内に前記連絡先ａがあるかどうかを判断して、もしあるならば、受信者ｂと受信者ｃの情報を表示するとともに、受信者領域に受信者ｂと受信者ｃを追加する必要があるかどうかをもユーザに促す。
【００１８】
さらに、前記受信者グループ内の他の受信者情報を表示するステップは、具体的には、所定の配列規則に従って、受信者グループ内の他の受信者情報を連続的に配列するステップ、かつ表示するステップを含む。前記所定の配列規則に従って他の受信者情報を連続的に配列するステップは、具体的には、受信者情報の頭文字に従って他の受信者情報を配列するステップ、又は、受信者情報における漢字の線（ｓｔｒｏｋｅ）に従って他の受信者情報を配列するステップである。本発明の前記実施形態における配列規則は、上記の規則に限定されないことは理解されるべきである。他の受信者情報を配列することによって、ユーザは直感的に他の受信者情報を認識することができ、さらに迅速に受信者を追加することができる。
【００１９】
加えて、他の受信者を追加する必要があるかどうかをユーザに促す具体的方法は、音声を介してユーザに促すステップ、又は、追加される情報を画面に表示することによってユーザに促すステップを含む。本発明の前記実施形態における促す方法は、上記の促す方法に限定されないことは理解されるべきである。
【００２０】
本発明の前記実施形態における技術的解決策は、受信グループをインテリジェントに生成し、ユーザがメールを送信するために受信者を追加する必要がある場合、もし追加される連絡先が受信者グループ内にある時、前記受信者グループ内の他の受信者情報を表示するように促進ユニットに指示するとともに、他の受信者を追加するか否かをユーザに促して、受信者追加の実行を十分にフレキシブルかつインテリジェントなものにし、かつ、インテリジェントなグループ連絡先推薦機能を提供し、その結果、ユーザはメールや情報を送信する時に迅速に連絡先を追加することができる。
【００２１】
本発明の実施形態２は、迅速に受信者を追加する装置を提供する。図２に示されるように、前記装置は受信ユニット２０１と、グループユニット２０２と、処理ユニット２０３と、促進ユニット２０４と、を含む。前記受信ユニット２０１は少なくとも二人の受信者情報を含むメール情報を受信するように構成され、かつ、前記メール情報は、具体的には、電子メール情報、又はネットワーク側のショートメッセージサービスセンター（Ｓｈｏｒｔ  Ｍｅｓｓａｇｅ  Ｓｅｒｖｉｃｅ  Ｃｅｎｔｅｒ，ＳＭＳＣ）を介して受信したショートメッセージであってよい。前記メール情報は、送信者情報と、受信者情報と、メール内容のような情報を含む。本発明の前記実施形態において、受信者情報は、少なくとも二人の受信者を含む。前記グループユニット２０２は、受信者情報に従って、受信者グループを生成するように構成されている。前記受信者情報は、少なくとも二人の受信者を含み、つまり、一つのグループは前記受信者情報に従って生成されることができる。前記受信者グループは、一時的グループ、又は永続的グループであってもよい。前記一時的グループは、一時的に生成される受信者グループであり、携帯端末のキャッシュに一時的にしか記憶されないので、一度、携帯端末がリセット（例えば、再起動）されると、一時的グループは携帯端末のシステムから消去される。前記永続的グループは、携帯端末の記憶領域に記憶される受信者グループである。前記処理ユニット２０３は、ユーザがメール送信のために受信者を追加する必要がある場合、もし追加される連絡先が受信者グループ内にある時、受信者グループ内の他の受信者の情報を表示させるように促進ユニットに指示するとともに、他の受信者を追加するかどうかをユーザに促すように構成されている。前記促進ユニット２０４は、前記処理ユニットの指示に従って、受信者グループ内の他の受信者情報を表示するとともに、他の受信者を追加するかどうかをユーザに促すよう構成されている。他の受信者を追加する必要があるかどうかをユーザに促す前記具体的な方法は、音声を介してユーザに促し、又は、追加される情報を画面に表示することによってユーザに促す。本発明の前記実施形態における促進方法は、上記の促進方法に限定されないことは理解されるべきである。
【００２２】
また、図３に示されるように、前記装置はさらに、所定の配列規則に従って構成されるシーケンスユニット２０５を含み、該シーケンスユニットは、受信者グループ内の他の受信者情報を連続的に配列し、かつ、促進ユニット２０４に、促進のために情報を送信する。
【００２３】
図４に示されるように、本発明の一実施形態はさらに、携帯端末３００を提供し、該携帯端末３００は、通信モジュールと、キーボードと電力供給管理モジュールとを含み、前記携帯端末はさらに上記装置３０１とを含む。
【００２４】
本発明の前記実施形態における技術的解決策は、受信グループをインテリジェントに生成して、ユーザがメールを送信するために受信者を追加する必要がある場合、もし追加される連絡先が受信者グループ内にある時、前記受信者グループ内の他の受信者情報を表示するように促進ユニットに指示するとともに、他の受信者を追加するか否かをユーザに促して、受信者追加の実行を十分にフレキシブルかつインテリジェントなものにし、かつ、インテリジェントなグループ連絡先推薦機能を提供し、その結果、ユーザはメールや情報を送信する時に迅速に連絡先を追加することができる。
【００２５】
前記携帯端末は、タッチスクリーンと、個人用デジタル補助装置（Ｐｅｒｓｏｎａｌ  Ｄｉｇｉｔａｌ  Ａｓｓｉｓｔａｎｔ，ＰＤＡ）と、ホーム・インフォメーション・ディスプレイ（Ｈｏｍｅ  Ｉｎｆｏｒｍａｔｉｏｎ  Ｄｉｓｐｌａｙ，ＨＩＤ）と、携帯インターネット機器（Ｍｏｂｉｌｅ  Ｉｎｔｅｒｎｅｔ  Ｄｅｖｉｃｅ，ＭＩＤ）と、を備えた携帯電話のような端末装置であってもよい。
【００２６】
当業者は実施形態における方法の処理の全て又は一部は関連ハードウェアに指示を出すことができるコンピュータ・プログラムによって実行可能であることを理解すべきである。前記プログラムは、コンピュータが読み込み可能な記憶媒体に記憶されうる。前記プログラムが動作する時、実施形態における方法の処理が実行される。前記記憶媒体は、磁気ディスク又は、光ディスク又は、ＲＯＭ（Ｒｅａｄ−Ｏｎｌｙ  Ｍｅｍｏｒｙ）又は、ＲＡＭ（Ｒａｎｄｏｍ  Ａｃｃｅｓｓ  Ｍｅｍｏｒｙ）などであってもよい。
【００２７】
前述した説明は、本発明の例示的な実施形態にすぎず、本発明の限定を示唆するものではない。本発明の思想及び原理の範囲における任意の修正又は、均等な置換又は改良は、本発明の保護範囲であるべきである。
【符号の説明】
【００２８】
２０１・・・受信ユニット
２０２・・・グループユニット
２０３・・・処理ユニット
２０４・・・促進ユニット
２０５・・・シーケンスユニット
３００・・・携帯端末
３０１・・・装置
【図１】
0005633086.tif 000002
【図２】
0005633086.tif 000003
【図３】
0005633086.tif 000004
【図４】
0005633086.tif 000005